(57)【要約】【課題】  同心状の断面とすることができて断面積を最小にすることができ、構造が簡単で安価に製造が可能なエイリアン・クロストーク対策が図られた通信ケーブルを提供する。【解決手段】  導体１の外周が絶縁体２により覆われた単線３が２本撚り合わされた対撚線４と、断面形状が十字型を成し、４本の対撚線４を隔壁により相互に隔離する仕切り板５と、４本の対撚線４を被覆する発泡ポリエチレンにより構成された内部シース７と、内部シース７を被覆する外部シース８を具備する。【選択図】    図１
2010010091.tif 000002
【特許請求の範囲】
【請求項１】
導体の外周が絶縁体により覆われた単線が２本撚り合わされた対撚線と、
長手方向と直交する方向における断面形状が十字型を成し、４本の前記対撚線を隔壁により相互に隔離する絶縁性材料からなる仕切り部材と、
発泡ポリエチレンにより構成され、前記４本の対撚線を被覆するように設けられた第１の外被と、
前記第１の外被を被覆するように設けられた絶縁性材料からなる第２の外被
とを具備したことを特徴とする通信ケーブル。
【請求項２】
導体の外周が絶縁体により覆われた単線が２本撚り合わされた対撚線と、
長手方向と直交する方向における断面形状が十字型を成し、４本の前記対撚線を隔壁により相互に隔離する絶縁性材料からなる仕切り部材と、
前記４本の対撚線を被覆するように設けられた絶縁性材料からなる第１の外被と、
発泡ポリエチレンにより構成され、前記第１の外被を被覆するように設けられた第２の外被と、
前記第２の外被を被覆するように設けられた絶縁性材料からなる第３の外被
とを具備したことを特徴とする通信ケーブル。
【発明の詳細な説明】
【技術分野】
【０００１】
本発明は、例えば１０ＧＢＡＳＥ−Ｔ規格のＵＴＰ（Unshielded Twisted-Pair）ＬＡＮケーブルなどとして使用される通信ケーブルに関する。
【背景技術】
【０００２】
１０ＧＢＡＳＥ−Ｔは、銅線のＬＡＮケーブルを使用する１０Ｇビット／秒のイーサーネット（登録商標）規格であり、ＩＥＥＥ（米国電気電子技術者委員会）の８０２．３標準化グループにおいて２００６年６月に制定された。この規格は、カテゴリ６以上のＵＴＰ（Unshielded Twisted-Pair：非シールドツイストペア）ケーブル用の１０ＧｂＥ伝送方式に適合し、伝送距離は、カテゴリ６では５５ｍ、オーグメンテッド（Augmented）・カテゴリ６及びカテゴリ７では１００ｍである。また、伝送周波数は、カテゴリ６では２５０ＭＨｚ、オーグメンテッド・カテゴリ６では５００ＭＨｚ、カテゴリ７では６００ＭＨｚである。
【０００３】
従来、データ伝送用通信ケーブル（ＬＡＮケーブル）などとして、導体の外周に絶縁被覆を設けた絶縁心線（単線）２本を撚り合わせた対撚り線４本を、ポリエチレンなどで構成された断面形状が十字型を有するしきり板（仕切り部材）の隔壁相互間に配置し、これを撚り合わせ、外周を絶縁性のシースで被覆したものが、例えば特許文献１などに開示されている。
【０００４】
この通信ケーブルによれば、しきり板により、４本の対撚り線が周方向に相互に隔離されるので、各対撚り線間に生じるクロストーク特性が改善され、さらに反射減衰量や特性インピーダンスも改善される。
【０００５】
通常、通信ケーブルの配線システムでは、１本の通信ケーブルが単独に敷設されることはなく、複数本の通信ケーブルが互いに隣り合うように多状敷設される。この場合、１０ＧＢＡＳＥ−Ｔ規格など、伝送周波数の高い通信ケーブル相互間の漏話（エイリアン・クロストーク:alien crosstalk）が問題になってきている。
【０００６】
このようなエイリアン・クロストークの低減化を図るために、さらに従来では、ポリエチレン製のコルデル紐を螺旋状に巻回して、撚り合わせた対撚り線４本の全体を押さえた上で、外周を絶縁性のシースで被覆した通信ケーブルや、縦横長さの異なる断面形状が十字型を有するしきり板を使用し、ケーブル形状が楕円になるように形成された通信ケーブルが開発されている（例えば、特許文献２の図４など）。しかしながら、いずれもケーブル断面が同心円ではなく、異型のものとなっている。
【０００７】
このように、従来の通信ケーブルは、構造が複雑であるために取り扱い性が難しく、製造価格も高価となる問題がある。
【特許文献１】特開平１１−０５３９５８号公報
【特許文献２】特開２００８−９７８７２号公報
【発明の開示】
【発明が解決しようとする課題】
【０００８】
本発明は上記従来の問題点を解決すべくなされたもので、その目的は、取り扱い性に優れ、かつ構造が簡単であり、安価に製造が可能なエイリアン・クロストーク対策が図られた通信ケーブルを提供することである。
【課題を解決するための手段】
【０００９】
本発明の通信ケーブルは、導体の外周が絶縁体により覆われた単線が２本撚り合わされた対撚線と、長手方向と直交する方向における断面形状が十字型を成し、４本の前記対撚線を隔壁により相互に隔離する絶縁性材料からなる仕切り部材と、発泡ポリエチレンにより構成され、前記４本の対撚線を被覆するように設けられた第１の外被と、前記第１の外被を被覆するように設けられた絶縁性材料からなる第２の外被とを具備したことを特徴とする。
【００１０】
本発明の通信ケーブルは、導体の外周が絶縁体により覆われた単線が２本撚り合わされた対撚線と、長手方向と直交する方向における断面形状が十字型を成し、４本の前記対撚線を隔壁により相互に隔離する絶縁性材料からなる仕切り部材と、前記４本の対撚線を被覆するように設けられた絶縁性材料からなる第１の外被と、発泡ポリエチレンにより構成され、前記第１の外被を被覆するように設けられた第２の外被と、前記第２の外被を被覆するように設けられた絶縁性材料からなる第３の外被とを具備したことを特徴とする。
【発明の効果】
【００１１】
本発明によれば、同心円状の断面とすることができ、構造が簡単で断面積を最小にすることが可能であり、もって当該ケーブルにコネクタを取り付ける場合に簡単に成端処理ができ、かつ安価に製造が可能なエイリアン・クロストーク対策が図られた通信ケーブルを提供することができる。
【発明を実施するための最良の形態】
【００１２】
以下、図面を参照して本発明を実施形態により説明する。
【００１３】
＜第１の実施形態＞
図１は、第１の実施形態に係るＵＴＰケーブルを長手方向と直交する方向で切断した場合の断面構造を示している。本実施形態の通信ケーブルは、導体１の外周が絶縁体２により覆われた単線３が２本撚り合わされた対撚線４を４本有する。さらに、本実施形態のケーブルは、長手方向と直交する方向における断面形状が十字型を成し、４本の対撚線４を隔壁により相互に隔離する絶縁性材料、例えばプラスチックからなる仕切り板（仕切り部材）５を有する。この仕切り板５により、ケーブル内で各対撚線４相互の漏話が抑制される。仕切り板５によって互いに隔離された４本の対撚線４は互いに撚り合わされ、発泡ポリエチレンにより構成された内部シース（第１の外被）７により被覆されている。また、内部シース７を被覆するように、絶縁性材料からなる外部シース（第２の外被）８が設けられている。
【００１４】
内部シース７に使用される発泡ポリエチレンは、同軸ケーブルなどで一般的に使用されている材料であり、非常に軽量であり、可とう性（折り曲げ易さ）に優れている。
【００１５】
本実施形態の通信ケーブルによれば、発泡ポリエチレンからなる内部シース７を設けたことにより、複数の通信ケーブルを束ねて多状敷設する際に、隣接ケーブル間で対撚線４相互の距離を大きく取ることができ、エイリアン・クロストーク特性の改善を図ることができる。また、発泡ポリエチレンからなる内部シース７が設けられているので、過大な外圧により押圧されても、通信ケーブルが潰れて破損することを防ぐことができる。内部シース７に使用される発泡ポリエチレンは可とう性に優れているので、従来のケーブルと同様に角部などにも容易に敷設することができる。
【００１６】
ここで、第１の実施形態の通信ケーブルを従来と同じ外径にする場合、発泡ポリエチレンにより構成された内部シース７の厚みを十分に厚くすることができるので、軽量化が図れると共に、エイリアン・クロストーク特性の改善をより図ることができる。
【００１７】
また、本実施形態のケーブルでは同心円状の断面とすることができ、構造が簡単で断面積を最小にすることが可能である。このために、当該ケーブルの末端にコネクタを取り付ける場合に簡単に成端処理ができる。なお、コネクタの取り付けを行なう場合、外部シース８を剥ぎ取る際に、同時に内部シース７を剥ぎ取ることにより、容易に対応が可能である。
【００１８】
また、本実施形態の通信ケーブルは構造が簡単なので、容易に製造が可能であり、従って安価に製造することができる。
【００１９】
＜第２の実施形態＞
図２は、第２の実施形態に係るＵＴＰケーブルを長手方向と直交する方向で切断した場合の断面構造を示している。本実施形態の通信ケーブルは、導体１の外周が絶縁体２により覆われた単線３が２本撚り合わされた対撚線４を４本有する。さらに、本実施形態のケーブルは、長手方向と直交する方向における断面形状が十字型を成し、４本の対撚線４を隔壁により相互に隔離する絶縁性材料、例えばプラスチックからなる仕切り板（仕切り部材）５を有する。この仕切り板５により、ケーブル内で各対撚線４相互の漏話が抑制される。仕切り板５によって互いに隔離された４本の対撚線４は互いに撚り合わされ、第１の内部シース（第１の外被）６により被覆されている。また、第１の内部シース６を被覆するように、発泡ポリエチレンにより構成された第２の内部シース（第２の外被）７が設けられている。さらに、第２の内部シース７を被覆するように、絶縁性材料からなる外部シース（第３の外被）８が設けられている。
【００２０】
本実施形態の通信ケーブルにおいても、第１の実施形態のものとほぼ同様の効果が得られる。
【００２１】
図３は、第１、第２の実施形態の通信ケーブルを複数束ねて多状敷設配線した際のエイリアン・クロストーク特性の実測値（異なるケーブルの４本の対撚線同士のクロストーク：Pair1〜Pair4）の一例を規格値と共に示している。１０ＧＢＡＳＥ−Ｔのカテゴリ６Ａの通信ケーブルにおけるエイリアン・クロストークの規格値は、ケーブル間電力和近端漏話減衰量（ＰＳＡＮＥＸＴ）で表わすと、１００ＭＨｚにおいては６２．５ｄＢ以上、５００ＭＨｚにおいては５２．０ｄＢ以上であり、図３に示すように第１、第２の実施形態の通信ケーブルはこの規格値を十分に満足していることが理解できる。
【図面の簡単な説明】
【００２２】
【図１】第１の実施形態に係る通信ケーブルの断面図。
【図２】第２の実施形態に係る通信ケーブルの断面図。
【図３】第１、第２の実施形態の通信ケーブルのエイリアン・クロストーク特性の一例を示す特性図。
【符号の説明】
【００２３】
１…導体、２…絶縁体、３…単線、４…対撚線、５…仕切り板（仕切り部材）、７…内部シース、８…外部シース。
【図１】
2010010091.tif 000003
【図２】
2010010091.tif 000004
【図３】
2010010091.tif 000005